(57)【要約】【課題】低速で回転数を固定して冷却ファンを常に動作させるモードを備え、ユーザに耳障りなノイズを低減させることができる情報処理装置およびファン制御方法を提供する。【解決手段】検出された温度に対応してファン１５３を停止状態から所定の回転数までの間で制御するモード１と、ファン１５３を所定の回転数より低い回転数で回転数を固定して制御するモード２とを備える。【選択図】      図３
2009157838.tif 000002
【特許請求の範囲】
【請求項１】
筐体と、
前記筐体に配置されたデバイスと、
前記デバイスを冷却する冷却ファンと、
前記デバイスの温度を検出する検出装置と、
前記検出装置によって検出された温度に対応して前記冷却ファンを停止状態から所定の回転数までの間で制御するモードと、前記冷却ファンを前記所定の回転数より低い回転数で回転数を固定して制御するモードとを備えた制御手段と、
を具備することを特徴とする情報処理装置。
【請求項２】
請求項１に記載の情報処理装置において、
前記制御手段は、所定のタイミングで切り替え可能であることを特徴とする情報処理装置。
【請求項３】
請求項１に記載の情報処理装置において、
前記冷却ファンを前記所定の回転数より低い回転数で回転数を固定して制御するモードは、当該情報処理装置のバッテリ駆動時に実行することを特徴とする情報処理装置。
【請求項４】
請求項１に記載の情報処理装置において、
前記検出装置によって検出された温度に対応して前記冷却ファンを停止状態から所定の回転数までの間で制御するモードは、当該情報処理装置に対する低負荷時に実行することを特徴とする情報処理装置。
【請求項５】
筐体と、前記筐体に配置されたデバイスと、前記デバイスを冷却する冷却ファンと、
前記デバイスの温度を検出する検出装置とを備えた情報処理装置で用いられるファン制御方法であって、
前記検出装置によって検出された温度に対応して前記冷却ファンを停止状態から所定の回転数までの間で制御するモードと、前記冷却ファンを前記所定の回転数より低い回転数で回転数を固定して制御するモードとを切り替えることを特徴とするファン制御方法。
【請求項６】
請求項５に記載のファン制御方法において、
前記冷却ファンを前記所定の回転数より低い回転数で回転数を固定して制御するモードは、当該情報処理装置のバッテリ駆動時に実行することを特徴とするファン制御方法。
【請求項７】
請求項５に記載のファン制御方法において、
前記検出装置によって検出された温度に対応して前記冷却ファンを停止状態から所定の回転数までの間で制御するモードは、当該情報処理装置に対する低負荷時に実行することを特徴とするファン制御方法。
【発明の詳細な説明】
【技術分野】
【０００１】
本発明は、情報処理装置のファンの制御技術に係り、特にファンの回転ノイズを押さえるモードに切り替えが可能な情報処理装置およびファン制御方法に関する。
【背景技術】
【０００２】
一般的に、パーソナルコンピュータにおいては、電動の冷却ファンを用いてデバイスの冷却を行っている。例えば、特許文献１に示すように、ノート型コンピュータへの供給電源がＡＣ電源であれば、冷却ファンの回転によりデバイスの冷却を行い、供給電源がバッテリであれば、冷却ファンの回転を停止して、ＣＰＵの処理速度を低下させて発熱を抑えるように制御する技術が開示されている。また、近年のCPUのデュアルコア化による急峻なパフォーマンスUPのモードと、CPU休止状態の低負荷モード時の消費電力差はよりいっそう広がっており、バッテリ駆動時でも上記のモードを切り替えて使用するケースが増えてきた。さらにバッテリ駆動時でもパフォーマンスを追及するが、且つ長時間駆動も求められている。
【特許文献１】特開平８−３２８６９８号公報
【発明の開示】
【発明が解決しようとする課題】
【０００３】
しかしながら、特許文献１に記載された技術では、バッテリ駆動時にCPUの処理速度を低下させることを優先すると、パフォーマンスが発揮できず、また省電力重視でFANをOffしつづけているため、CPU以外のグラッフィックスコントローラによるPC内部の温度上昇が進んだ状態では、CPU処理速度復帰後の急峻なパフォーマンスUPによる温度上昇にFAN制御が追随することができず、FANのOn/Offを繰り返し、冷却ファンの回転数変動や冷却ファンの停止や回転の再開に伴い、ユーザに耳障りなノイズが発生する。
【０００４】
そこで、本発明は、低速で回転数を固定して冷却ファンを常に動作させるモードを備え、ユーザに耳障りなノイズを低減させることができる情報処理装置およびファン制御方法と、テキスト等の表示処理などで長時間各デバイスが連続した低負荷の場合冷却ファンを停止するファン制御方法を提供することを目的とする。
【課題を解決するための手段】
【０００５】
上述した課題を解決するために、本発明の一態様によれば、筐体と、前記筐体に配置されたデバイスと、前記デバイスを冷却する冷却ファンと、前記デバイスの温度を検出する検出装置と、前記検出装置によって検出された温度に対応して前記冷却ファンを停止状態から所定の回転数までの間で制御するモードと、前記冷却ファンを前記所定の回転数より低い回転数で回転数を固定して制御するモードとを備えた制御手段と、を具備することを特徴とする情報処理装置が提供される。
【０００６】
また、筐体と、前記筐体に配置されたデバイスと、前記デバイスを冷却する冷却ファンと、前記デバイスの温度を検出する検出装置とを備えた情報処理装置で用いられるファン制御方法であって、前記検出装置によって検出された温度に対応して前記冷却ファンを停止状態から所定の回転数までの間で制御するモードと、前記冷却ファンを前記所定の回転数より低い回転数で回転数を固定して制御するモードとを切り替えることを特徴とするファン制御方法が提供される。
【発明を実施するための最良の形態】
【０００７】
以下、本発明の実施形態について図面を参照しながら説明する。
【０００８】
まず、図１および図２を参照して、本発明の一実施形態に係る情報処理装置の構成について説明する。この情報処理装置は、バッテリ駆動可能な携帯型のノートブック型パーソナルコンピュータ１０として実現されている。
【０００９】
図１はノートブック型パーソナルコンピュータ１０のディスプレイユニットを開いた状態における斜視図である。本コンピュータ１０は、コンピュータ本体１１と、ディスプレイユニット１２とから構成されている。ディスプレイユニット１２には、ＬＣＤ（Liquid Crystal Display）１７から構成される表示装置が組み込まれており、そのＬＣＤ１７の表示画面はディスプレイユニット１２のほぼ中央に位置されている。
【００１０】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０を電源オン／オフするためのパワーボタン１４、入力操作パネル１５、およびタッチパッド１６などが配置されている。
【００１１】
入力操作パネル１５は、押されたボタンに対応するイベントを入力する入力装置であり、複数の機能をそれぞれ起動するための複数のボタンを備えている。これらボタン群には、ＴＶ起動ボタン１５Ａ、ＤＶＤ／ＣＤ起動ボタン１５Ｂも含まれている。ＴＶ起動ボタン１５ＡはＴＶ放送番組データを再生するためのボタンである。ＴＶ起動ボタン１５Ａがユーザによって押下された時、ＴＶ放送番組データを再生するためのアプリケーションプログラムが自動的に起動される。ＤＶＤ／ＣＤ起動ボタン１５Ｂは、ＤＶＤまたはＣＤに記録されたビデオコンテンツを再生するためのボタンである。ＤＶＤ／ＣＤ起動ボタン１５Ｂがユーザによって押下された時、ビデオコンテンツを再生するためのアプリケーションプログラムが自動的に起動される。
【００１２】
本実施形態のコンピュータ１０においては、ＴＶ放送番組データ、ビデオコンテンツのような動画像データに対応する動画像を高画質でＬＣＤ１７に表示するために、動画像データの再生時にその動画像の画質を自動的に高画質化する機能が設けられている。
【００１３】
次に、図２を参照して、本コンピュータ１０のシステム構成について説明する。
【００１４】
本コンピュータ１０は、図２に示されているように、ＣＰＵ１１１、ノースブリッジ１１２、主メモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、およびエンベデッドコントローラ／キーボードコントローラＩＣ（ＥＣ／ＫＢＣ）１２４等を備えている。
【００１５】
ＣＰＵ１１１は本コンピュータ１０の動作を制御するために設けられたプロセッサであり、ハードディスクドライブ（ＨＤＤ）１２１から主メモリ１１３にロードされる、オペレーティングシステム（ＯＳ）および各種アプリケーションプログラムを実行する。ＯＳは、複数のウィンドウを表示画面上に表示するためのウィンドウシステムを有している。
【００１６】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００１７】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００１８】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）を有しており、ＯＳ／アプリケーションプログラムによってビデオメモリに描画された表示データから、ＬＣＤ１７に表示すべき表示イメージを形成する映像信号を生成する。ＬＣＤ１７に表示すべき表示イメージは、通常は、デスクトップ画面のイメージおよびそのデスクトップ画面上に配置されたウィンドウそれぞれのイメージとから構成される。しかし、動画像をフルスクリーンモードで表示する場合には、ＬＣＤ１７に表示すべき表示イメージは、動画像のイメージのみから構成される。したがって、動画像をフルスクリーンモードで表示する場合には、動画像の表示イメージのみを形成する映像信号がグラフィクスコントローラ１１４から出力される。
【００１９】
サウスブリッジ１１９は、ＬＰＣ（Low Pin Count）バス上の各デバイスを制御する。また、サウスブリッジ１１９は、ＨＤＤ１２１、ＯＤＤ１２２を制御するためのＩＤＥ（Integrated Drive Electronics）コントローラを内蔵している。さらに、サウスブリッジ１１９は、ＢＩＯＳ−ＲＯＭ１２０をアクセス制御するための機能も有している。
【００２０】
エンベデッドコントローラ／キーボードコントローラＩＣ（ＥＣ／ＫＢＣ）１２４は、電源制御、放熱制御のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、ユーザによるパワーボタン１４の操作に応じて本コンピュータ１０をパワーオン／パワーオフする機能を有している。
【００２１】
ところで、ＣＰＵ１１１、ノースブリッジ１１２、サウスブリッジ１１９、およびグラフィックスコントローラ１１４等の半導体デバイスは発熱量が大きいので冷却ファンが装着されている。また、アイドル状態であっても、ファンを停止させると、コンピュータ本体１１内部の温度が上昇してしまうので、ファンを停止することは好ましくない。アイドル状態ではファンの回転数をできるだけ低くし、ノイズを抑えることが好ましい。
【００２２】
以下に、ファンの回転数を制御するための構成について説明する。
【００２３】
図３は、本発明の一実施形態に係わるファンの回転数を制御するための構成を示す図である。
【００２４】
図３に示すように、半導体デバイス１４０には、冷却ファン１５０が装着されている。冷却ファン１５０は、回転制御ＩＣ１５１、モータ１５２、およびファン１５３を具備する。電源コントローラ１３０から供給される駆動電圧が回転制御ＩＣ１５１を介して、モータに供給されることによって、ファン１５３が回転する。ファン１５３の回転数は回転制御ＩＣ１５１によって監視されている。回転制御ＩＣ１５１は、ファン１５３の回転数に応じたパルス信号をＥＣ／ＫＢＣ１２４に供給する。
【００２５】
半導体デバイス１４０内には温度測定用ダイオード１４１が設けられている。温度検出回路１６０は、温度測定用ダイオード１４１に定電流を流し、その際の温度測定用ダイオード１４１の順方向電圧降下を測定する。そして、温度検出回路１６０は、温度測定用ダイオード１４１の順方向電圧降下の温度特性に基づいて、半導体デバイス１４０の温度測定用ダイオード１４１の形成されている位置の温度を求める。求められた温度はＥＣ／ＫＢＣ１２４に供給される。
【００２６】
ＥＣ／ＫＢＣ１２４は、温度検出回路１６０の検出温度に応じて冷却ファン１５０のファン１５３の回転数を制御するために、電源コントローラ１３０から冷却ファン１５０の回転制御ＩＣ１５１に供給される駆動電圧値を制御する。
【００２７】
ＢＩＯＳ−ＲＯＭ１２０には、温度に応じたファン１５３の回転数が記憶されている。図４に、温度に対するファン１５３の回転数を示す。
【００２８】
ＥＣ／ＫＢＣ１２４は、回転数に対する駆動電圧とのを示す特性式が格納されている。ＥＣ／ＫＢＣ１２４は、測定温度に対応する回転数をＢＩＯＳ−ＲＯＭ１２０から取得し、取得された回転数と特性式から冷却ファン１５０の駆動電圧値を求め、電圧値に対応する電圧指定情報をファン制御部１７０の駆動電圧値レジスタ１７０Ｂに書き込む。ファン制御部１７０内のＰＷＭ回路１７０Ａは、書き込まれた電圧指定情報に対応するＰＷＭ（pulse width modulation）信号を生成して、電源コントローラ１３０に供給する。ＰＷＭ信号は、パルス幅の大きさで駆動電圧のレベルを表している。なお、パルス幅の大きさで駆動電圧のレベルが表されているので、ＰＷＭ信号が出力されていない場合、つまり信号が“０”の場合、駆動電圧値は０である。ＢＩＯＳ−ＲＯＭ１２０には、０〜５Ｖを分割したそれぞれの電圧に対応するＰＷＭ信号を示すＰＷＭ信号指定情報が設定されている。ＰＷＭ回路１７０Ａは、駆動電圧値レジスタ１７０Ｂに書き込まれた電圧指定情報に対応するＰＷＭ信号指定情報を読み出し、読み出したＰＷＭ信号指定情報に対応するＰＷＭ信号を電源コントローラ１３０に供給する。
【００２９】
ところで、本実施形態では、ファン１５３の回転数の制御を以下の２つのモードを用いて行う。
【００３０】
温度検出回路１６０によって検出された温度に対応してファン１５３を停止状態（回転数０）から所定の回転数までの間で制御するモード１と、ファン１５３を所定の回転数（４０００回転／分）より低い回転数、例えば１５００回転／分で回転数を固定して制御するモード２を備えている。これらのモード１およびモード２は、ユーザによって所定のタイミングで切り替えが可能である。
【００３１】
モード１は、温度検出回路１６０によって検出された温度に対応してファン１５３の回転数を制御する。コンピュータ１０に対して低負荷の処理である場合、例えば、長時間のテキスト等の表示処理等の場合には、半導体デバイス１４０の温度は高くならず、例えば４４℃未満であるので、ファン１５３の回転数を０ｒｐｍとし、ファン１５３の回転を停止する。
【００３２】
モード２は、温度検出回路１６０によって検出された温度によらずに、常に、同じ回転数でファン１５３を回転させるモードである。この回転数は、モード１の回転数である所定の回転数（４０００回転／分）より低い回転数、例えば１５００回転／分で回転数を固定して回転させるように制御する。
【００３３】
以下に、本発明の実施形態に係る情報処理装置を適用したファン制御方法について図４を用いて説明する。なお、当実施形態では、コンピュータ１０をバッテリ１２５Ａからの電力で駆動させた場合について説明するが、ＡＣアダプター１２５Ｂの電力で駆動させる場合においても同様に適用することができる。
【００３４】
ＣＰＵ１１１は、バッテリ１２５Ａによって駆動する場合の初期化を行う（ステップＳ１０１）。次に、ＣＰＵ１１１は、モード２への切り替え要求を受信すると（ステップＳ１０２のＹＥＳ）、モード２に切り替えを行う（ステップＳ１０３）。一方、モード２への切り替え要求が受信されない場合は、（ステップＳ１０２のＮＯ）、通常のモード１として設定を行う（ステップＳ１０４）。
【００３５】
このように、モード１およびモード２の２つのモードを切り替え可能に備えている。モード２は、温度検出回路１６０によって検出された温度によらずに、常に、同じ回転数でファン１５３を回転させるため、ファン１５３の回転数の変動に伴うノイズ、ファン１５３の停止および再開に伴うノイズの発生を抑えることができる。さらに、常に一定の低速度でファン１５３が回転しているため、半導体デバイス１４０による急激な負荷の発生時にも、発熱を抑えることができる。一方、モード１はテキスト等の表示処理などで長時間各デバイスが連続した低負荷の場合、ファン１５３を停止することにより電力の消費を抑えることができる。
【００３６】
次に、ファン制御用のユーティリティの設定について、図５〜図９を参照して説明する。上述したファン１５３の制御の設定には、例えば図５に示すような専用のユーティリティを用いる。この制御ユーティリティにおいては、設定項目中の冷却方法（Cooling Method）２００に対して設定を行う。設定バー２００を例えば左右に移動させることにより、設定を変更することができる。この設定では、以下のレベルを設定することができる。ＢａｔｔｅｒｙＯｐｔｉｍｉｚｅｄ（図５参照）／Ｐｅｒｆｏｒｍａｎｃｅ（図６参照）／Ｍａｘｍｕｍ Ｐｅｒｆｏｒｍａｎｃｅ（図７参照）／ＣｏｏｌｉｎｇＯｐｔｉｍｉｚｅｄ（図８参照）。本実施形態においては、例えば、ＢａｔｔｅｒｙＯｐｔｉｍｉｚｅｄを選択した場合にモード１を設定し、他のＰｅｒｆｏｒｍａｎｃｅ／Ｍａｘｍｕｍ Ｐｅｒｆｏｒｍａｎｃｅ／ＣｏｏｌｉｎｇＯｐｔｉｍｉｚｅｄを選択した場合にモード２を設定するようにする。
【００３７】
また、図９に示すように、別のユーティリティを用いて設定することもできる。例えば、設定項目中の冷却方法（Cooling Method）２０２に対して設定を行う。プルダウンメニュー２０２を選択することにより、設定を変更することができる。上述したユーティリティと同様に、例えば、ＢａｔｔｅｒｙＯｐｔｉｍｉｚｅｄを選択した場合にモード１を設定し、他のＰｅｒｆｏｒｍａｎｃｅ／Ｍａｘｍｕｍ Ｐｅｒｆｏｒｍａｎｃｅ／ＣｏｏｌｉｎｇＯｐｔｉｍｉｚｅｄを選択した場合にモード２を設定するようにする。
【００３８】
なお、本発明は、上述した実施形態そのままに限定されるものではない。本発明は、実施段階では、その要旨を逸脱しない範囲で構成要素を変更して具現化できる。
【００３９】
また、上述した実施形態に開示されている複数の構成要素を適宜に組み合わせることで、種々の発明を形成できる。例えば、実施形態に示される全構成要素から幾つかの構成要素を削除してもよい。更に、異なる実施形態にわたる構成要素を適宜組み合わせてもよい。
【図面の簡単な説明】
【００４０】
【図１】本発明の一実施形態に係る情報処理装置の外観を示す斜視図。
【図２】図１の情報処理装置のシステム構成の例を示すブロック図。
【図３】図１の情報処理装置に設けられたファンの回転数を制御するためのシステム構成を示すブロック図。
【図４】本発明の一実施形態に係るファン制御方法の手順を示すフローチャート。
【図５】本発明の一実施形態に係るファン制御設定のユーティリティを示す模式図。
【図６】本発明の一実施形態に係るファン制御設定のユーティリティを示す模式図。
【図７】本発明の一実施形態に係るファン制御設定のユーティリティを示す模式図。
【図８】本発明の一実施形態に係るファン制御設定のユーティリティを示す模式図。
【図９】本発明の一実施形態に係るファン制御設定のユーティリティを示す模式図。
【符号の説明】
【００４１】
１０…ノートブック型パーソナルコンピュータ，１２…ディスプレイユニット，１３…キーボード，１４…パワーボタン，１５…入力操作パネル，１６…タッチパッド，１７…ＬＣＤ，１１１…ＣＰＵ，１１２…ノースブリッジ，１１３…主メモリ，１１４…グラフィクスコントローラ，１１９…サウスブリッジ，１２０…ＢＩＯＳ−ＲＯＭ，１２１…ハードディスクドライブ，１２２…光ディスクドライブ，１２４…エンベデッドコントローラ／キーボードコントローラＩＣ，１３０…電源コントローラ，１４０…半導体デバイス，１４１…温度測定用ダイオード，１５０…冷却ファン，１５１…回転制御ＩＣ，１５２…モータ，１５３…ファン，１６０…温度検出回路，１７０…ファン制御部，１７０Ａ…ＰＷＭ回路，１７０Ｂ…駆動電圧値レジスタ，１７０Ｃ…最低回転電圧値レジスタ，１７０Ｄ…停止回数レジスタ
【図１】
2009157838.tif 000003
【図２】
2009157838.tif 000004
【図３】
2009157838.tif 000005
【図４】
2009157838.tif 000006
【図５】
2009157838.tif 000007
【図６】
2009157838.tif 000008
【図７】
2009157838.tif 000009
【図８】
2009157838.tif 000010
【図９】
2009157838.tif 000011
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
筐体と、
前記筐体に配置されたデバイスと、
前記デバイスを冷却する冷却ファンと、
前記デバイスの温度を検出する検出装置と、
前記検出装置によって検出された温度に対応して前記冷却ファンを停止状態から所定の
回転数までの間で制御する第１のモードと、前記冷却ファンを前記所定の回転数より低い回転数で回転数を固定して制御する第２のモードとを、任意のタイミングで切替を行い前記冷却ファンを制御する制御手段とを具備し、
前記制御手段は、前記第１のモードにおいて、前記検出装置により検出される温度が所定の温度未満の場合、前記冷却ファンを停止することを特徴とする情報処理装置。
【請求項２】
請求項１に記載の情報処理装置において、
前記制御手段は、当該情報処理装置のバッテリ駆動時は前記第１のモードにより前記冷却ファンを制御することを特徴とする情報処理装置。
【請求項３】
請求項２に記載の情報処理装置において、
前記制御手段は、当該情報処理装置がアイドル状態時は前記第２のモードにより前記冷却ファンを制御することを特徴とする情報処理装置。
【請求項４】
筐体と、前記筐体に配置されたデバイスと、前記デバイスを冷却する冷却ファンと、前記デバイスの温度を検出する検出装置とを備えた情報処理装置で用いられるファン制御方法であって、
前記検出装置によって検出された温度に対応して前記冷却ファンを停止状態から所定の
回転数までの間で制御する第１のモードと、前記冷却ファンを前記所定の回転数より低い回転数で回転数を固定して制御する第２のモードとを、任意のタイミングで切り替え、
前記第１のモードにおいて、前記検出装置により検出される温度が所定の温度未満の場合、前記冷却ファンを停止することを特徴とするファン制御方法。
【請求項５】
請求項４に記載のファン制御方法において、
前記第１のモードを、当該情報処理装置のバッテリ駆動時に実行することを特徴とするファン制御方法。
【請求項６】
請求項５に記載のファン制御方法において、
前記第２のモードを、当該情報処理装置がアイドル状態時に実行することを特徴とするファン制御方法。
【手続補正２】
【補正対象書類名】明細書
【補正対象項目名】０００５
【補正方法】変更
【補正の内容】
【０００５】
上述した課題を解決するために、本発明の一態様によれば、筐体と、前記筐体に配置されたデバイスと、前記デバイスを冷却する冷却ファンと、前記デバイスの温度を検出する検出装置と、前記検出装置によって検出された温度に対応して前記冷却ファンを停止状態から所定の回転数までの間で制御する第１のモードと、前記冷却ファンを前記所定の回転数より低い回転数で回転数を固定して制御する第２のモードとを、任意のタイミングで切替を行い前記冷却ファンを制御する制御手段とを具備し、前記制御手段は、前記第１のモードにおいて、前記検出装置により検出される温度が所定の温度未満の場合、前記冷却ファンを停止することを特徴とする情報処理装置が提供される。
【手続補正３】
【補正対象書類名】明細書
【補正対象項目名】０００６
【補正方法】変更
【補正の内容】
【０００６】
また、筐体と、前記筐体に配置されたデバイスと、前記デバイスを冷却する冷却ファンと、前記デバイスの温度を検出する検出装置とを備えた情報処理装置で用いられるファン制御方法であって、前記検出装置によって検出された温度に対応して前記冷却ファンを停止状態から所定の回転数までの間で制御する第１のモードと、前記冷却ファンを前記所定の回転数より低い回転数で回転数を固定して制御する第２のモードとを、任意のタイミングで切り替え、前記第１のモードにおいて、前記検出装置により検出される温度が所定の温度未満の場合、前記冷却ファンを停止することを特徴とするファン制御方法が提供される。